(57)【要約】【課題】  例えば七輪などの既存のコンロの熱源上に焼き具を昇降自在かつ水平回動自在に保持することで、良好な焼き調理を可能とする秀れた焼き具保持装置を提供する。【解決手段】  熱源１上に焼網や鉄板などの焼き具２を保持して焼き調理を可能とする焼き具保持装置であって、接地部３に支柱４を立設状態に設けると共に、この支柱４に対して前記焼き具２を水平突出状態に且つ高さ調整自在に保持する保持機構５を前記支柱４に設け、前記熱源１上に保持した焼き具２を熱源１上から退避回動及び熱源１上に戻り復帰回動自在とする水平回動機構６を備えた焼き具保持装置。【選択図】      図１
2006238956.tif 000002
【特許請求の範囲】
【請求項１】
熱源上に焼網や鉄板などの焼き具を保持して焼き調理を可能とする焼き具保持装置であって、接地部に支柱を立設状態に設けると共に、この支柱に対して前記焼き具を水平突出状態に且つ高さ調整自在に保持する保持機構を前記支柱に設け、前記熱源上に保持した焼き具を熱源上から退避回動及び熱源上に戻り復帰回動自在とする水平回動機構を備えたことを特徴とする焼き具保持装置。
【請求項２】
前記保持機構は、焼き具を水平突出状態に保持する保持部を前記支柱に昇降自在に設け、この保持部を前記支柱に対して所定の高さに固定する保持部固定機構を前記支柱に設けた構成としたことを特徴とする請求項１記載の焼き具保持装置。
【請求項３】
前記保持部は、前記支柱に昇降自在に固定される昇降固定部と、前記熱源上に焼き具を支承する支承部とから成る構成としたことを特徴とする請求項１，２のいずれか１項に記載の焼き具保持装置。
【請求項４】
前記水平回動機構は、この水平回動機構の回動軸部部を、前記保持機構に保持した焼き具の外周寄り位置若しくは外周より外側位置となるように設定した構成としたことを特徴とする請求項１〜３のいずれか１項に記載の焼き具保持装置。
【請求項５】
前記接地部及び支柱は、七輪やバーベキューコンロなどのコンロを側方から囲み配設し得る形状に形成して、このコンロに収容された熱源上に焼き具を保持して焼き調理を可能とする構成としたことを特徴とする請求項１〜４のいずれか１項に記載の焼き具保持装置。
【発明の詳細な説明】
【技術分野】
【０００１】
本発明は、炭や薪などの熱源上に焼網や鉄板などの焼き具を保持して焼き調理を可能とする焼き具保持装置に関するものである。
【背景技術】
【０００２】
例えば、七輪やバーベキューコンロなどのコンロは、炭や薪などの熱源をコンロに収容し、このコンロ上（熱源上）に焼網や鉄板などの焼き具を設けて焼き調理を可能とする構成である。
【０００３】
この種のコンロは、例えば、熱源の量を調整するなどして大雑把な火力調整を行なうものである。
【０００４】
また、例えば、焼き具を昇降させるなどして熱源に対する焼き具の高さを調整し、これによって火力調整ができる構成のコンロも従来から提案されている。
【０００５】
この高さ調整可能なタイプのコンロは、例えば、実開平６−３８８３１号公報に開示されているように、熱源を収容するコンロに、焼き具を昇降自在に保持する保持機構を設けた構成であり、焼き具を昇降することで熱源に対する焼き具の高さを適宜調整することで火力調整が可能で、例えば、コンロ上から焼き具を退避させてこのコンロ内に炭や薪などの熱源を出し入れして熱源の量を調整するといった面倒な作業を要さずに火力調整を行うことができ、それだけ簡単に、且つ、良好に火力調整を行えるものである。
【０００６】
ところで、このように焼き具の高さ調整機能が予めコンロ自体に具備された構成のコンロは従来から種々提案されているが、高さ調整機能が予め具備されていない既存のコンロに、この高さ調整機能を簡単に具備させることが可能な秀れた装置は従来までには無い。
【０００７】
従って、高さ調整ができないタイプのコンロ（例えば、一般的な七輪など）は、火力調整を行なう際に、例えば、一々焼き具をコンロ上から退避させ、炭や薪などの熱源をコンロ内に追加したり減らしたりして熱源の量を調整し、再びコンロ上に焼き具を戻すといった面倒な作業で火力調整を行うしかなかった。
【０００８】
【特許文献１】実開平６−３８８３１号公報
【発明の開示】
【発明が解決しようとする課題】
【０００９】
本発明は、この点、既存のコンロの熱源上に高さに調整自在に焼き具を保持することで、高さ調整できないタイプの既存のコンロにおいても前記熱源に対して焼き具の高さを調整する簡単で良好な火力調整を可能とする秀れた焼き具保持装置を提供するものである。
【００１０】
また、焼き具を熱源上から退避回動及び熱源上に戻り復帰回動自在とする水平回動機構を設けることで、例えば、七輪などのコンロ上に保持した焼き具を簡単にコンロ上から退避させたり復帰させたりでき、コンロ内への炭や薪などの熱源の出し入れ作業を簡単に行うことや、焼き具を適宜な量だけ熱源上から回動させて一層様々な火力調整が可能で、使用者の好みのスタイルで良好な焼き調理を可能とする秀れた焼き具保持装置を提供するものである。
【課題を解決するための手段】
【００１１】
添付図面を参照して本発明の要旨を説明する。
【００１２】
熱源１上に焼網や鉄板などの焼き具２を保持して焼き調理を可能とする焼き具保持装置であって、接地部３に支柱４を立設状態に設けると共に、この支柱４に対して前記焼き具２を水平突出状態に且つ高さ調整自在に保持する保持機構５を前記支柱４に設け、前記熱源１上に保持した焼き具２を熱源１上から退避回動及び熱源１上に戻り復帰回動自在とする水平回動機構６を備えたことを特徴とする焼き具保持装置に係るものである。
【００１３】
また、前記保持機構５は、焼き具２を水平突出状態に保持する保持部７を前記支柱４に昇降自在に設け、この保持部７を前記支柱４に対して所定の高さに固定する保持部固定機構８を前記支柱４に設けた構成としたことを特徴とする請求項１記載の焼き具保持装置に係るものである。
【００１４】
また、前記保持部７は、前記支柱４に昇降自在に固定される昇降固定部７ａと、前記熱源１上に焼き具２を支承する支承部７ｂとから成る構成としたことを特徴とする請求項１，２のいずれか１項に記載の焼き具保持装置に係るものである。
【００１５】
また、前記水平回動機構６は、この水平回動機構６の回動軸部６ａを、前記保持機構５に保持した焼き具２の外周寄り位置若しくは外周より外側位置となるように設定した構成としたことを特徴とする請求項１〜３のいずれか１項に記載の焼き具保持装置に係るものである。
【００１６】
前記接地部３及び支柱４は、七輪やバーベキューコンロなどのコンロａを側方から囲み配設し得る形状に形成して、このコンロａに収容された熱源１上に焼き具２を保持して焼き調理を可能とする構成としたことを特徴とする請求項１〜４のいずれか１項に記載の焼き具保持装置に係るものである。
【発明の効果】
【００１７】
本発明は、例えば、接地部に立設状態に設けた支柱に対して水平突出状態に、且つ、高さ調整自在に焼き具を保持できるように構成したから、熱源上での焼き具の高さ位置を適宜調整し、簡単且つ良好な火力調整を行いながら良好に焼き調理を行うことができる。
【００１８】
また、熱源上に保持した焼き具を水平回動させることで、熱源上から簡単に退避させたり復帰させたりできるように構成したから、例えば、熱源上から焼き具を慎重に持ち上げるなどの作業を要さずに、安定して簡単に熱源上に焼き具をセットしたり退かしたりといった作業を行うことができる上に、例えば、熱源上から焼き具を半分だけ退避回動させることで焼き具の片側では加熱調理，他側では保温を行うといった様々なスタイルの焼き調理を行うことができる。
【００１９】
従って、本発明は、熱源上に焼き具を高さ調整可能に、且つ、水平回動自在に保持することで上記秀れた火力調整を可能とし、使用者の好みのスタイルで良好な焼き調理を行える画期的で実用性に秀れた焼き具保持装置となる。
【００２０】
また、例えば、焼き具の高さ調整ができない七輪などの既存のコンロにおいても、本発明品によれば、コンロに収容された熱源（炭や薪など）上に焼き具を高さ調整自在に保持できるので、七輪などの既存のコンロにおいても上記簡単且つ良好な火力調整を実現でき、また、焼き具を水平回動させてコンロ上から焼き具を退避させたり復帰させたりも簡単に行え、コンロに熱源を出し入れする作業も極めて簡単に行うことができる為、この熱源の量を調整することによる火力調整も簡単に行うことができる。
【００２１】
従って、例えば、熱源の量を調整して大雑把な火力調整を行うと共に焼き具の高さを調整して細かな火力調整を行うといったことも可能で、更に、焼き具を前記熱源に対して適宜な量だけ水平回動させるなどして一層様々なスタイル（使用者の好みのスタイル）で焼き調理を行うことができるなど、コンロ用の焼き具保持装置としての高い実用価値を有する画期的で実用性に秀れた焼き具保持装置となる。
【００２２】
また、請求項２記載の発明においては、焼き具を保持部に保持する構成で、焼き具自体に特別な構成が必要なく、一般的な焼網や鉄板などの焼き具を採用しこの焼き具を高さ調整自在に、且つ、水平回動自在に保持でき、既存の一般的な焼き具で上記秀れた焼き調理を可能とし、この点においても一層便利となる。
【００２３】
また、請求項３記載の発明においては、焼き具を支承部に支承するだけという極めて簡単な操作で焼き具を保持することができ、取り扱い性に秀れた焼き具保持装置となる。
【００２４】
また、請求項４記載の発明においては、回動軸部を軸に焼き具を大きな回動軌跡で水平回動させられることとなり、それだけ熱源上から大きく確実に退避回動させられ、熱源上から焼き具を退避させたり戻り復帰させたりしての上記秀れた焼き調理を一層確実に行える秀れた焼き具保持装置となる。
【００２５】
また、請求項５記載の発明においては、七輪やバーベキューコンロなどの既存のコンロに本発明品を設けることで、この既存のコンロで上記の通り簡単且つ良好な火力調整を行いながら良好な焼き調理を実現でき、コンロ上に焼き具を保持して良好な焼き調理を可能とする極めて高い実用価値を有するコンロ用の焼き具保持装置となる。
【００２６】
しかも、接地部や支柱はコンロを側方から囲み配設し得る形状に形成することで、コンロと一緒に本発明品をテーブル上などに置いても邪魔に成りにくい（コンロを囲むような形状である）為、例えば七輪などのようにテーブル上や食卓上で使用するコンロ用の焼き具保持装置としての一層高い実用価値を有する秀れた焼き具保持装置となる。
【発明を実施するための最良の形態】
【００２７】
好適と考える本発明の実施形態を、図面に基づいて本発明の作用を示して簡単に説明する。
【００２８】
接地部３に立設状態に設けた支柱４に設けた保持機構５によって、焼網や鉄板などの焼き具２を保持して、熱源１上にこの焼き具２を水平突出状態に保持する。
【００２９】
この際、前記保持機構５は、前記焼き具２を支柱４に対して高さ調整自在に保持する構成の為、前記熱源１に対して所定の高さ位置に前記焼き具２を保持できることとなる。
【００３０】
即ち、熱源１上に焼き具２を保持して焼き調理を可能とするだけでなく、焼き具２の高さを適宜調整することで火力調整を行いながら焼き調理を行えることとなる。
【００３１】
また、水平回動機構６によって、熱源１上の焼き具２を熱源１上から退避回動及び熱源１上に戻り復帰回動自在な構成の為、例えば、熱源１上に焼き具２をセットしたり、熱源１上から焼き具２を退かしたりする作業を簡単に行え、また、例えば、熱源１上から焼き具２を半分だけ退避（位置ズレ）させることで、焼き具２の片側では加熱、他側では保温といったことも可能で、一層様々な火力調整が可能となる。
【００３２】
従って、本発明は、熱源１上に焼き具２を昇降自在に、且つ、水平回動自在に保持して良好に焼き調理を行える秀れた焼き具保持装置となる。
【００３３】
更に、例えば、炭や薪などの熱源１を収容した七輪などの既存のコンロａの前記熱源１上に本発明品によって焼き具２を保持すれば、既存のコンロａで焼き調理を行えるのは勿論、この七輪のように焼き具２の高さ位置を昇降自在に調整する機能が付いていない既存のコンロａにおいても、焼き具２の高さ位置を昇降自在に調整して簡単且つ良好な火力調整を実現することとなる。更に、熱源１上から焼き具２を簡単に退避させたり復帰させたりできる為、例えば、コンロａ上に焼き具２を保持した際に、このコンロａ上から焼き具２を退避及び復帰する作業も簡単に行えることとなり、これにより、コンロａ内への熱源１の出し入れも簡単に行うことができ、熱源１の量を調整することによる火力調整も非常に簡単に行えることとなる。
【００３４】
よって、本発明は、熱源１上に焼き具２を保持して良好な焼き調理を可能とするだけでなく、例えば、焼き具２の高さ調整を可能とする構成が予め具備されていない既存のコンロａに設けた場合には、この既存のコンロａで、熱源１に対する焼き具２の高さを調整する簡単且つ良好な火力調整を行いながらの良好な焼き調理を実現することとなり、しかも、例えば、コンロａなどへの熱源１の出し入れ作業も簡略化でき、更に、焼き具２を前記熱源１に対して適宜な量だけ水平回動させるなどして一層使用者の好みのスタイルで焼き調理を可能とする秀れた焼き具保持装置となる。
【００３５】
また、請求項２記載の発明においては、前記保持機構５は、保持部７で焼き具２を水平突出状態に保持し、保持部固定機構８によってこの焼き具２の前記支柱４に対して所定の高さに固定して高さ設定を行えるように構成したので、この焼き具２自体には特別な構成が一切必要なく、本発明に使用する焼き具２として、普通の焼網や鉄板などの既存の一般的な構成の焼き具２を採用できることとなる。
【００３６】
また、請求項３記載の発明においては、焼き具２を支承部７ｂに支承させるだけの簡単な操作で、焼き具２を保持部７に保持できることとなり、取り扱い性に秀れることとなる。
【００３７】
また、請求項４記載の発明においては、前記水平回動機構６の回動軸部６ａが、前記保持機構５に保持した焼き具２の中央寄り位置ではなく、外周寄り位置若しくは外周より外側位置となるように設定した為、この回動軸部６ａを軸に焼き具２を水平回動した際に、この焼き具２が大きな回動軌跡を描きながら確実に前記熱源１上から退避回動することとなり、前記熱源１上からの焼き具２の退避及び戻り復帰を一層確実に行えることとなる。
【００３８】
また、請求項５記載の発明においては、七輪やバーベキューコンロなどの既存のコンロａに本発明品を設けることで、この既存のコンロａで簡単且つ良好な火力調整を行いながら良好に焼き調理を行えることとなり、コンロａ用の焼き具保持装置としての高い実用価値を有することとなる。
【００３９】
また、前記設置部３や支柱４は、コンロａを側方から囲み配設し得る形状に形成しているので、既存のコンロａに本発明品を側方から簡単に配設できると共に例えばテーブル上などに本発明品を配設した際に邪魔になりにくく、七輪のようにテーブル上や食卓上で使用するコンロａ用の焼き具保持装置としての一層高い実用価値を有することとなる。
【実施例１】
【００４０】
本発明の具体的な実施例１について図面に基づいて説明する。
【００４１】
本実施例は、熱源１上に焼網や鉄板などの焼き具２を保持して焼き調理を可能とする焼き具保持装置であって、接地部３に支柱４を立設状態に設けると共に、この支柱４に対して前記焼き具２を水平突出状態に且つ高さ調整自在に保持する保持機構５を前記支柱４に設け、前記熱源１上に保持した焼き具２を熱源１上から退避回動及び熱源１上に戻り復帰回動自在とする水平回動機構６を備えたものである。
【００４２】
本実施例は、具体的には、図１に図示したように、七輪やバーベキューコンロなどのコンロａに前記熱源１を収容し、このコンロａに収容した熱源１上に焼き具２を保持するものである。
【００４３】
接地部３及び支柱４は、図２及び図３に図示したように、七輪（コンロａ）の側方から囲み配設し得る形状に形成しており、具体的には、接地部３は、前記七輪（コンロａ）の底部を略囲繞する略Ｕ字状に形成し、前記支柱４は、逆Ｕ字状に形成して前記接地部３の略中央部位置に立設状態に溶接接合した構成である。尚、本実施例においては、接地部３及び支柱４を金属製部材で形成している。
【００４４】
また、図２に図示したように、Ｕ字状の接地部３に左右に架設状態に転倒防止板12を設けている。具体的には、図２に図示したように、金属製平板材の長さ方向両端部に夫々、筒状の嵌挿部12ａを設けており、この左右の嵌挿部12ａに夫々、Ｕ字状の接地部３の左右を嵌挿してこの接地部３にスライド自在に設けた構成である。
【００４５】
従って、図１に図示したように、この転倒防止板12上に七輪（コンロａ）を載置することで、この接地部３及び支柱４が横転することが確実に阻止される。
【００４６】
この支柱４の上部には、図２に図示したように、後述の保持機構５の保持部７の昇降固定部７ａを昇降スライド自在に嵌挿して昇降ガイドする筒状のガイド部４ａを設けており、また、この筒状のガイド部４ａの周面の一箇所に、後述の保持機構５の保持部固定機構８のチェーン体11を引っ掛け係止する引っ掛け係止部９を溶接して設けている。
【００４７】
保持機構５は、焼き具２を水平突出状態に保持する保持部７を前記支柱４に昇降自在に設け、この保持部７を前記支柱４に対して所定の高さに調整する保持部固定機構８を前記支柱４に設けて構成している。
【００４８】
この保持部７は、図２に図示したように、前記筒状のガイド部４ａに嵌挿してこのガイド部４ａに昇降ガイドされる筒状の昇降固定部ａと、前記熱源１上に焼き具２を支承する支承部ｂとから成る構成である。尚、この保持部７は、焼き具２を支承する構成に限らず、例えば、焼き具２の端部を挟持固定して水平に保持する構成など、前記焼き具２を前記支柱４から水平突出状態に保持し得る構成であれば良い。
【００４９】
また、この保持部７は、具体的には、図２に図示したように、前記支柱４に昇降自在に固定される昇降固定部７ａと、前記熱源１上に焼き具２を支承する支承部７ｂとから成る構成である。
【００５０】
この支承部７ｂは、前記焼き具２を載置可能な金属製の枠状体７ｂ（本実施例では、焼き具２を安定性良く載置保持できるように、棒状桟部材の一端に円環状桟部材を接合した形状）であって、この枠状体７ｂの端部から前記昇降固定部７ａとして円柱状の昇降固定部７ａを垂設した構成である。
【００５１】
従って、この昇降固定部７ａを前記ガイド部４ａに嵌挿し、このガイド部４ａに昇降ガイドされることで前記支承部７ｂ（枠状体７ｂ）が支柱４に対して昇降自在となる。
【００５２】
尚、前記支承部７ｂ（枠状体７ｂ）の形状は、本実施例に限られるものではなく、前記焼き具２を安定性良く載置保持し得る形状であれば良い。
【００５３】
また、保持機構５の保持部固定機構８は、金属製の平板状の係止板10と、金属製の環状部材が複数連なって成るチェーン体11とを有し、図２に図示したように、このチェーン体11の一端を前記係止板10の端寄り位置に接合し他端側を前記支柱４のガイド部４ａに設けた引っ掛け係止部９に引っ掛け係止して、このチェーン体11及び係止板10を前記引っ掛け係止部９から吊り下げ状態に設ける構成である。
【００５４】
また、この係止板10の、前記チェーン体11と反対側の端寄り位置に、前記保持部７の昇降固定部７ａを嵌合挿入する嵌合孔10ａを形成している。
【００５５】
以上の構成から成る保持部固定機構８は、図２に図示したように、支柱４の筒状のガイド部４ａに嵌挿し昇降ガイドされる前記保持部７の昇降固定部７ａを、前記係止板10の嵌合孔10ａに嵌合挿入し、図４（ａ）に図示したように、係止板10を水平状態にするとこの昇降固定部７ａが嵌合孔10ａに対してフリーな状態（昇降自在な状態）となり、一方、図４（ｂ）に図示したように係止板10を傾斜状態にするとこの昇降固定部７ａが係止板10の嵌合孔10ａの孔縁と当接して係止状態となり、昇降固定状態となり、前記支承部７ｂの支柱４に対する高さ位置が決定されるように構成している。
【００５６】
尚、保持機構５の構成は、本実施例のように、保持部７に焼き具２を保持して、保持部固定機構８でこの焼き具２の高さを調整する構成に限らず、例えば、支柱４に上下に複数並設状態に係止穴（図示省略）を設け、焼き具２にはこの係止穴に嵌合係止する係止凸部（図示省略）を突出状態に設け、この支柱４の上下複数の係止穴から好みの高さの係止穴を選択して前記焼き具２の係止凸部を選択嵌合することで、焼き具２を直接、支柱４の好みの高さ保持する構成としても良く、他にも、焼き具２を支柱４の所定の高さに水平突出状態に保持し得る構成とすれば良い。
【００５７】
水平回動機構６は、この水平街道機構６の回動軸部６ａを、前記保持機構５に保持した焼き具２の中央寄り位置ではなく、外周寄り位置若しくは外周より外側位置となるように設定した構成である。
【００５８】
具体的には、図３に図示したように、前記保持機構５の保持部７の円柱状の昇降固定部７ａを前記回動軸部６ａに設定しており、この昇降固定部７ａ（回動軸部６ａ）を軸に保持部７の支承部７ｂを３６０°水平回動自在に構成している。即ち、図３に図示したように、支柱４に設けた筒状のガイド部４ａにスライド昇降自在、且つ、回動自在に嵌挿された円柱状の前記昇降固定部７ａ（回動軸部６ａ）は、図４（ｂ）に図示したように、前記保持部固定機構８の係止板10の嵌合孔10ａの孔縁に係止されることで昇降固定された状態においても、水平回動固定は為されていないからこの脚桟部７ａ（回動軸部６ａ）を軸に前記支承部保持部７ｂを水平回動し得る構成である。
【００５９】
従って、図３に図示したように、この保持部７の支承部７ｂ載置保持した焼き具２を、この焼き具２の外周より外側に位置する前記回動軸部６ａを軸に大きく水平させることが可能となる。
【００６０】
尚、保持機構５は、本実施例の構成に限らず、例えば、支柱４に円柱状に形成し、前記保持部７の昇降固定部７ａは、円柱状の支柱４に被嵌するリング状に形成し、前記支承部７ｂを前記リング状の昇降固定部７ａを円柱状の支柱４に被嵌することで昇降自在に、且つ、支柱４を軸に水平回動自在に設け、このリング状の昇降固定部７ａを螺子などで締付固定して支柱４に昇降固定及び水平回動固定する構成としても良い。他にも、本実施例と同様の機能を発揮し得る構成であれば良い。
【００６１】
本実施例は、上述のように構成したから、図１に図示したように、熱源１（炭）が収容された七輪（コンロａ）の側方から接地部３及び支柱４を囲み配設し、保持部７の支承部７ｂに焼き具２を載置保持することで、このコンロａに収容された熱源１上に焼き具２を水平突出状態に保持することができ、この焼き具２上に食材を載置して前記熱源１の熱を利用して焼き調理を行えることとなる。
【００６２】
しかも、この際、保持部７の昇降固定部７ａを支持して、図４に図示したように、保持部固定機構８の係止板10の端部を押し上げるなどしてこの係止板10を水平状態に操作して前記昇降固定部７ａをフリーな状態にしてこの昇降固定部７ａを好みの高さに昇降させ、係止板10の水平状態を解除することで保持部７を係止（昇降固定）することで、支承部７ｂの高さを適宜調整でき、熱源１に対する焼き具２の高さを調整しながら簡単且つ良好な火力調整が可能となる。
【００６３】
つまり、例えば、七輪（コンロａ）は、中に炭（熱源１）を収納し、上部に焼網（焼き具２）を載置するだけの構成の為、当然、火力を調整する際に一々焼網を七輪の上から慎重に持ち上げるなどして退避させて、七輪の中に炭を追加したり減らしたりして、再び、焼網を七輪の上に戻すといった非常に面倒な作業が必要であるが、この点、本発明は、この火力調整が面倒な七輪に本発明を配設するだけで、上記の通り焼網を昇降させ簡単且つ良好な火力調整を行いながらの良好な焼き調理を実現できる。
【００６４】
更に、例えば、保持部７の支承部７ｂを箸で押動したり、保持部７の昇降保持部７ａを指で摘まんで回すなどして、図３に図示したように、保持部７の支承部７ｂを水平回動させることができ、この支承部７ｂに載置保持して熱源１上に保持した焼き具２を、この熱源１上から退避回動させたり、熱源１上に戻り復帰回動させることも簡単に可能で、七輪上からの焼き具２の退避及び復帰も簡単に行えることとなる。
【００６５】
従って、本発明は、例えば、七輪上から焼き具２を退避させ、七輪に炭を追加したり減らしたりし、再び七輪上に焼き具２を復帰させるなどして、炭の量を調整して大雑把な火力調整を行い、次いで、焼き具２を好みの高さに調整して細かい火力調整を行うといった良好な火力調整を行うことができ、また、例えば、この七輪上から焼き具２を半分だけ退避回動させることで、焼き具２の一方では食材を加熱調理し、他方では焼き終わった食材を保温しておく（焼きすぎや焦げを防ぐことができる）など、一枚の焼き具２で異なる二つの機能を発揮できるなど、使用者の好みのスタイルで様々な焼き調理が行えることとなる。
【００６６】
よって、本実施例は、七輪のように、焼き具２の高さ調整を可能とする構成が予め具備されていない既存のコンロａにおいても、熱源１に対する焼き具２の高さを調整することによる火力調整を行いながらの良好な焼き調理を実現し得、更に、例えば、コンロａなどへの熱源１の出し入れ作業も簡略化でき、更に、焼き具２を前記熱源１に対して適宜な量だけ水平回動させるなどして一層様々なスタイル（使用者の好みのスタイル）で焼き調理を行うことが可能で、既存のコンロａに設けることでこの既存のコンロａの焼き調理性能を飛躍的に向上し秀れた焼き調理を可能とする極めて実用性に秀れた画期的な焼き具保持装置である。
【００６７】
また、本実施例においては、焼き具２を支承部７ｂ（枠状体７ｂ）に載置保持するだけの簡単な操作で前記保持部７に焼き具を保持でき、しかも、この支承部７ｂは、焼き具２を安定性良く保持し得る円環状桟部材を有する形状の為、保持部７を昇降させたり水平回動させる際にも、前記焼き具２を安定性良く支承部７ｂ上に載置保持されることとなり、取り扱い性に秀れ、この点においても実用性に秀れる。
【００６８】
また、焼き具２を載置する支承部７ｂは、棒状桟部材と円環状桟部材とから成る枠状体７ｂである為、熱源１からの（下方からの）熱をこの支承部７ｂで遮ってしまう心配も生じ得ない。
【００６９】
また、本実施例においては、前記保持機構５は、前記保持部固定機構８によって支柱４に対する高さ位置が調整された支承部７ｂに焼き具２を載置保持することで、焼き具２を熱源１に対して所定の高さ位置に調整することが可能で、即ち、焼き具２自体には、高さ調整を行う為の特別な構成が一切必要なく、よって、既存の一般的な構成の焼き具２を採用でき、既存のコンロａと既存の焼き具２を用意するだけで上記の通り秀れた焼き調理を実現できるなど、この点においても実用性に秀れる。
【００７０】
また、本実施例においては、保持部固定機構８の係止板10を指で一端を持ち上げて水平状態にして円柱状の昇降固定部７ａを好みの高さにスライド昇降した後、係止板10から指を離す、といった極めて簡単な操作で支柱４に対する支承部７ｂの高さ、即ち、熱源１に対する焼き具２の高さを調整でき、非常に操作性に秀れ、簡単に高さ調整が可能で、この点においても一層実用性に秀れる。
【００７１】
しかも、この係止板10は、環状部材が複数連なって成るチェーン体11を支柱４に設けられた引っ掛け係止部９に引っ掛け係止して、吊り下げ状態に設ける構成であり、このチェーン体11の複数の環状部材の中から好みの環状部材を引っ掛け係止部９に引っ掛け係止することで、チェーン体11の引っ掛け位置によって前記係止板10の吊り下げ位置を上下調整できる為、保持部７のスライド昇降による焼き具２保持位置の上下可変域が広くなり、一層好みの高さに焼き具２を保持でき、実用性に秀れる。
【００７２】
また、本実施例においては、図２に図示したように、Ｕ字状の接地部３に左右に架設状態に転倒防止板12を設けているので、図１に図示したように、この転倒防止板12上に七輪（コンロａ）を載置することで、安定性良くこの接地部３及び支柱４を設置できることとなる。
【００７３】
従って、例えば、図３に図示したように焼き具２を七輪上から退避させた場合（保持部７を１８０°水平回動させた状態）でも、七輪の重みによって接地部３や支柱４が後側に横転してしまうことを確実に阻止でき、しかも、七輪（コンロａ）を転倒防止板12上に載置しているのでこの転倒防止板12自体が邪魔になることも無いなど、上記の様々なスタイルの焼き調理を極めて安定性良く、一層良好に行えることとなり、この点においても一層実用性に秀れる。
【００７４】
尚、本実施例の焼き具保持装置は、七輪（コンロａ）に設け、この七輪に収容された熱源１上に焼き具２を保持して使用する構成としたが、これに限らず、例えば、地面などに直接置かれた熱源１上に本実施例に係る焼き具保持装置によって焼き具２を保持して焼き調理を行う構成としても良い。
【００７５】
また、本発明は、本実施例に限られるものではなく、各構成要件の具体的構成は適宜設計し得るものである。
【実施例２】
【００７６】
本発明の具体的な実施例２について図面に基づいて説明する。
【００７７】
本実施例は、実施例１の別例であって、図５に図示したように、接地部３，支柱４及び保持部７を、複数の連結部材を着脱自在に組み立てて構成する組み立て構造としたものである。
【００７８】
具体的には、接地部３は、図５に図示したように、二つの湾曲状の連結部材３ａ，３ｂを、一方に対して他方を嵌入して、着脱自在に嵌合連結して成る構成としている。
【００７９】
また、この接地部３には、逆Ｕ字状の支柱４の下端側を嵌入して、着脱自在に嵌合連結する為の嵌入筒部３ｃを左右一対に上方突出状態に設けている。
【００８０】
従って、支柱４は、この接地部３の左右一対の嵌入筒部３ｃに支柱４の左右下端側を夫々嵌入し、接地部３に着脱自在に嵌合連結される。
【００８１】
この支柱４は、図５に図示したように、上端位置の内側にガイド部４ａを、反対側に引っ掛け係止部９を設けた構成である。尚、図５中、符号４ｂは、支柱４の下端寄り位置で左右に架設される補強部４ｂである。
【００８２】
保持部７は、図５に図示したように、支承部７ｂ（枠状体７ｂ）の端部に形成した環状部７ｃを、円柱状の昇降固定部７ａに被嵌すると共にこの円柱状の昇降固定部７ａの垂下途中位置に設けた係止部７ｄに係止させて双方を着脱自在に嵌合連結して形成した構成である。
【００８３】
本実施例は、上述のように構成したから、各部材を簡単に組み立てて使用することができることは勿論、未使用時には各部材を脱着し、コンパクトに収納したり持ち運んだりできるなど、一層実用性に秀れ、一層高い商品価値を有する焼き具保持装置となる。
【００８４】
その余は実施例１と同様である。
【図面の簡単な説明】
【００８５】
【図１】実施例１に係る焼き具保持装置の使用状態を示す図である。
【図２】実施例１に係る焼き具保持装置の説明斜視図である。
【図３】実施例１に係る焼き具保持装置の説明斜視図である。
【図４】実施例１に係る焼き具保持装置の保持機構を示す正面断面図である。
【図５】実施例２に係る焼き具保持装置の組み立て説明図である。
【符号の説明】
【００８６】
１  熱源
２  焼き具
３  接地部
４  支柱
５  保持機構
６  水平回動機構
６ａ  回動軸部
７  保持部
７ａ  昇降固定部
７ｂ  支承部
８  保持部固定機構
ａ  コンロ
【図１】
2006238956.tif 000003
【図２】
2006238956.tif 000004
【図３】
2006238956.tif 000005
【図４】
2006238956.tif 000006
【図５】
2006238956.tif 000007